(57)【要約】【課題】振動を低減し、掃除機本体に塵埃が詰まった際にも自己冷却が可能な電動機を備えた電気掃除機の吸込具およびそれを備えた電気掃除機を提供する。【解決手段】清掃面を清掃する回転清掃体１１０と、回転清掃体１１０を回転するための動力を発生する電動機１２０とを有し、電動機１２０は、軸部１２４ａと、軸部１２４ａの周りに取り付けられるコア１２４ｂと、を備え、コア１２４ｂには、スロット１２４ｇがねじれて設けられている。【選択図】図１６
2015012938.tif 000002
【特許請求の範囲】
【請求項１】
清掃面を清掃する回転清掃体と、前記回転清掃体を回転するための動力を発生する電動機とを有し、
前記電動機は、軸部と、該軸部の周りに取り付けられるコアと、を備え、
該コアには、スロットがねじれて設けられていることを特徴とする電気掃除機の吸込具。
【請求項２】
吸引力を発生する掃除機本体と、前記掃除機本体に連通する請求項１に記載の吸込具とを備え、
前記スロットは、前記吸引力による冷却風と同じ向きに空気を押し出すように、設けられていることを特徴とする電気掃除機。
【発明の詳細な説明】
【技術分野】
【０００１】
本発明は、電動機によって駆動される回転清掃体を有する吸込具（例えば、パワーブラシ）およびそれを備えた電気掃除機に関する。
【背景技術】
【０００２】
一般的に、電気掃除機は、集塵装置を備えた掃除機本体と、清掃面の塵埃を吸引する吸込具とを備えており、これらの間を延長管や吸引ホースで連結したキャニスタータイプと呼ばれる構造を有している。そして、掃除機本体は、その内部に集塵装置と電動送風機とを備え、車輪を介して自在に移動可能に設けられている。このような電気掃除機における床用の吸込具は、ブラシ等からなる回転清掃体を備えており、この回転清掃体を駆動するための電動機が吸込具に設けられている。
【０００３】
ところで電動機において、電動機内に自冷ファンを配置し、冷却を行う技術が知られている（特許文献１）。
【０００４】
また、掃除機本体からの吸引風の一部を電動機の冷却風として使用している技術が知られている（特許文献２）。
【先行技術文献】
【特許文献】
【０００５】
【特許文献１】特開平１０−２５７７１９号公報
【特許文献２】特開２０１１−２４４８７１号公報
【発明の概要】
【発明が解決しようとする課題】
【０００６】
しかしながら、特許文献１に記載の技術では、自冷ファンのアンバランスにより振動が増える恐れがある。
【０００７】
また、特許文献２に記載の技術では、掃除機本体に塵埃が詰まり、掃除機本体からの吸引力が弱くなった際に冷却風も弱くなる恐れがある。
【０００８】
本発明は、振動を低減し、掃除機本体に塵埃が詰まった際にも自己冷却が可能な電動機を備えた電気掃除機の吸込具およびそれを備えた電気掃除機を提供することを目的とする。
【課題を解決するための手段】
【０００９】
本発明は、清掃面を清掃する清掃部材と、前記清掃部材を回転するための動力を発生する電動機とを有し、前記電動機は、軸部と、該軸部の周りに取り付けられるコアと、を備え、該コアには、スロットがねじれて設けられていることを特
徴とする。
【発明の効果】
【００１０】
この発明によれば、コアには、スロットがねじれて設けられているので、振動を低減し、掃除機本体に塵埃が詰まった際にも自己冷却が可能な電動機を備えた電気掃除機の吸込具およびそれを備えた電気掃除機を提供することができる。
【図面の簡単な説明】
【００１１】
【図１】本実施形態の電気掃除機の全体を示す外観斜視図である。
【図２】（ａ）は吸込具を示す平面図、（ｂ）は同じく正面図である。
【図３】吸込具の一部を省略した下面図である。
【図４】吸込具の分解斜視図である。
【図５】上ケースを取り外した状態の吸込具の内部構造示す平面図である。
【図６】（ａ）は吸込具の側面図、（ｂ）は図２（ａ）のＡ−Ａ線に沿う断面図であ    る。
【図７】（ａ）は図２（ａ）のＢ−Ｂ線に沿う断面図、（ｂ）は図２（ａ）のＣ−Ｃ    線に沿う断面図である。
【図８】回転清掃体を駆動するための電動機を示す拡大斜視図である。
【図９】電動機を示す図であり、（ａ）は正面図、（ｂ）は左側面図、（ｃ）は右側    面図である。
【図１０】（ａ）は図９（ａ）のＷ−Ｗ線に沿う断面図、（ｂ）は電動機の下面図で    ある。
【図１１】（ａ）は図９（ａ）のＸ−Ｘ線に沿う拡大断面図、（ｂ）は図９（ａ）の    Ｙ−Ｙ線に沿う拡大断面図、（ｃ）は図９（ｃ）のＺ−Ｚ線に沿う断面図である。
【図１２】冷却用の空気の流れを示す説明図である。
【図１３】後端スリットを示す説明図である。
【図１４】冷却用の空気の流れを示す説明図である。
【図１５】その他の冷却用の空気の流れを示す説明図である。
【図１６】（ａ）回転清掃体を駆動するための電動機を示す拡大斜視図である。（ｂ    ）アーマチュアを示す拡大斜視図である。
【発明を実施するための形態】
【００１２】
以下、本発明の実施形態について添付図面を参照して説明する。なお、以下では、吸込具において、回転清掃体１１０（図２（ａ）参照）が配置される側を前側、吸口継手１０Ｂ（図２（ａ）参照）が接続される側を後側として説明する。
【００１３】
図１に示すように、電気掃除機１は、掃除機本体２と、ホース３と、手元操作部４と、延長管５と、吸込具として第２の吸込具６と、第１の吸込具１０とを備えて構成されている。
【００１４】
掃除機本体２の内部には、図示しない吸引力を発生させる電動送風機や、この電動送風機の吸引力で集塵した塵埃を収容する集塵部等が内蔵されており、手元操作部４のハンドル部に設けられた運転スイッチＳＷの操作等によって電動送風機の運転が制御されるようになっている。
【００１５】
ホース３の一端は、掃除機本体２の集塵部と連通するように掃除機本体２の接続口２ａに接続され、ホース３の他端は、手元操作部４に接続されている。延長管５は、二つの管体５ａ、５ｂから構成されて伸縮可能であり、管体５ａの一端が手元操作部４の他端に接続されている。
【００１６】
第２の吸込具６は、延長管５の管体５ｂの他端に接続された吸込具であり、他端に第１の吸込具１０が接続可能であり、図１では接続した例を示している。第２の吸込具６は、第１の吸込具１０を取り外すことにより、単独で塵埃を吸い込む吸込具として機能するようになっている。
【００１７】
第１の吸込具１０は、第２の吸込具６の他端に接続された吸込具であり、図２（ｂ）に示すように、下面（掃除面）に吸込口１００が開口され、この吸込口１００内に回転清掃体１１０が配置されている。この回転清掃体１１０は、駆動手段としての後記する電動機１２０により回転駆動される。なお、第１の吸込具１０（以下、単に吸込具１０という）は、図１に示した延長管５の他端（上流側）や手元操作部４の他端（上流側）に接続することも可能である。
【００１８】
吸込具１０は、図１に示すように、下部分を形成する下ケース１１、および下ケース１１の上部に被着された上ケース１２を備える吸口本体１０Ａと、吸口本体１０Ａの後方に取り付けられ、内部に空気の通路Ｒ１（図６参照）が形成された吸口継手１０Ｂとを備える。これらの下ケース１１、上ケース１２および吸口継手１０Ｂの主たる部品は、軽量で硬質の材料、例えば、ＡＢＳ樹脂等の合成樹脂材料で形成されている。
【００１９】
ここで、吸口継手１０Ｂには、図２（ａ）に示すように、他端部（吸口本体１０Ａ側）に回動軸７が設けられており、吸口継手１０Ｂは、この回動軸７が、下ケース１１と上ケース１２との間に挟みこまれてこれらに支持されることにより、吸口本体１０Ａに対して上下方向に回動可能に設けられている。
【００２０】
また、吸込具１０は、回動部７ｂを中心として左右方向に回動可能に設けられている。
【００２１】
さらに、吸口継手１０Ｂには、後部側に図示しない接触ピンが設けられており、この接触ピンを介して吸込具１０の電動機１２０に電力が供給されるようになっている。
【００２２】
また、吸口本体１０Ａには、前部から左右側方にかけて、下ケース１１と上ケース１２との間にバンパー８が介設されている。バンパー８は、ゴムや合成ゴム等の弾性材料から形成されており、使用時に吸口本体１０Ａ内の気密を保持するとともに、電気掃除機１の使用時に吸口本体１０Ａが家具等に衝突した際に、当該家具等への傷付きと吸口本体１０Ａへの衝撃を吸収するようになっている。
【００２３】
下ケース１１の下面に開口する吸込口１００は、断面略湾曲凹状（図７（ａ）参照）とされており、図３に示すように、吸込口１００の後方には、吸込通路１０１が開口形成されている。この吸込通路１０１は、吸口継手１０Ｂの前記した通路Ｒ１（図６（ｂ）参照）に連通している。
【００２４】
また、下ケース１１と上ケース１２との間には、図７（ａ）に示すように、隔壁１３ｅを隔てて電動機収容室１３が形成されており、この電動機収容室１３に電動機１２０が収容されている。
【００２５】
なお、電動機収容室１３は、図５に示すように、隔壁１３ｅに設けられた開口部１３ｅ’を通じて、電動機収容室１３の前方に設けられる後記する通路Ｒ３に連通している。
【００２６】
また、電動機収容室１３は、下ケース１１の中央部側に形成された通路Ｒ４を通じて、吸口継手１０Ｂの回動軸７の端部開口７ａに連通している。回動軸７は、吸口本体１０Ａの内部に設けられた通路Ｒ１に連通している。
【００２７】
なお、電動機収容室１３には、図５に示すように、仕切り部１３ｆが設けられており、電動機収容室１３に電動機１２０を収容した状態で、仕切り部１３ｆによって、電動機収容室１３が左右に仕切られるようになっている。つまり、仕切り部１３ｆを隔てて、図中右側の室に開口１２２ｂが位置し、図中左側の室に開口１２２ｃが位置するようになっており、電動機１２０内（ステータ１２２内）を介して左右の室が連通している。
【００２８】
なお、下ケース１１の下面には、図３に示すように、ブラシ駆動スイッチ１１ａ、ブラシカバー１１ｂ，１１ｃ、車輪１１ｄが設けられている。
【００２９】
ブラシ駆動スイッチ１１ａは、吸込具１０の下面が清掃面に接触しているか否かを検出するスイッチである。ブラシ駆動スイッチ１１ａは、車輪を備え、この車輪がばね等の付勢手段によって常に下ケース１１の下面から突出するように設けられている。そして、車輪が飛び出して清掃面と接触していないと検出されたときには、吸込具１０に備わる制御基板１０Ｃ（図５参照）によって電動機１２０が停止される。また、車輪が押し込まれて清掃面と接触していると検出されたときには、制御基板１０Ｃ（図５参照）によって電動機１２０が駆動される。
【００３０】
また、ブラシカバー１１ｂ，１１ｃは、下ケース１１に対して取り外し可能であり、これらを下ケース１１から取り外すことによって回転清掃体１１０の取り外しが可能となる。
【００３１】
車輪１１ｄは、手元操作部４で操作される前後動や回転操作の応力を受けて吸込具１０の底面を清掃面に密着させ、これにより吸込具１０の操作性能を向上する役割をなす。
【００３２】
また、下ケース１１と上ケース１２との間には、図７（ａ）に示すように、電動機１２０を冷却するための後記する冷却用空気が通流する通路Ｒ３が形成されている。
【００３３】
吸込口１００に配置される回転清掃体１１０は、図７（ａ）に示すように、筒状基体１１１と、この筒状基体１１１の外周面から径方向に突出するようにして固定された繊維等による刷毛状の清掃部材１１２ａ〜１１２ｃと、同じく径方向に突出するようにして固定された軟質材からなるブレード１１２ｄと、を備えて構成されている。清掃部材１１２ａ〜１１２ｃおよびブレード１１２ｄは、図３、図４に示すように（詳細は不図示）、回転清掃体１１０の軸方向に沿ってそれぞれ螺旋状に設けられており、清掃面との接触を可能としてその回転駆動力により清掃面の塵埃を掻き出すように作用する。清掃面がフローリングなどの場合は、回転清掃体１１０に対する摩擦抵抗が少ないため、電動機１２０にかかる負荷が小さいが、清掃面がじゅうたんなどの場合は、回転清掃体１１０に対する摩擦抵抗が大きいため、電動機１２０にかかる負荷が大きくなる。よって、電動機１２０は、回転清掃体１１０がじゅうたんなどに接した場合にも回転できるだけのトルクが必要である。
【００３４】
ここで、清掃部材１１２ａ〜１１２ｃおよびブレード１１２ｄの長さや数、また、それぞれの断面形状等は適宜設定することができる。本実施形態では、図７（ａ）に示すように、回転清掃体１１０の軸方向から見たときに、毛足の長い清掃部材１１２ａ，１１２ｂの外周側端部１１２ａ’，１１２ｂ’は、回転清掃体１１０の両端部分に設けた円筒状のローラ部材１１３（図３参照）の外周側端部１１３’と略一致するように長さが設定されている。
【００３５】
なお、回転清掃体１１０の上部側に、吸込口１００における負圧の大きさによって撓んで開口する、図示しない吸気口を形成して、上ケース１２の上方空間に浮遊する塵埃を吸込口１００内に取り込むように構成してもよい。
【００３６】
回転清掃体１１０は、その軸方向両端部に延出する図示しない軸を有しており、これらの軸が吸込口１００の内側両端に設けられた図示しない軸受けに支持されることで、吸込口１００内に回転自在に設けられている。なお、回転清掃体１１０の一端には、電動機１２０からの回転駆動力を受ける大径プーリー１３０（図７（ｂ）参照）が設けられている。
【００３７】
そして、回転清掃体１１０に掻き出された塵埃は、図６（ｂ）に示すように、吸込口１００から吸込通路１０１を通じて吸口継手１０Ｂの前記した通路Ｒ１に運ばれ、その後、延長管５（図１参照）やホース３を通じて掃除機本体２の図示しない集塵室に吸引される。
【００３８】
回転清掃体１１０を駆動するための電動機１２０は、図５に示すように、下ケース１１と上ケース１２との間に形成される電動機収容室１３に収容されている。電動機収容室１３は、吸口本体１０Ａの一方の腕部１０Ａ1において長手方向を吸込口１００（回転清掃体１１０）と同じにして並設されている。吸口本体１０Ａの中央部には、通路Ｒ２（図１４参照）が形成されている。通路Ｒ２を形成する側壁が、電動機収容室１３の長手方向の一端の隔壁を兼ねている。よって、電動機収容室１３は、通路Ｒ２に近接して隣接する。
一方、吸口本体１０Ａの側壁が、電動機収容室１３の長手方向の他端の隔壁を兼ねている。よって、電動機収容室１３は、吸口本体１０Ａの左右方向では腕部１０Ａ1内いっぱいに形成されている。電動機１２０は、電動機１２０から飛び出した軸部１２４ａが吸口本体１０Ａの外側に位置し、カバー部材１２５が吸口本体１０Ａの中央側に位置するように配置される。
【００３９】
電動機収容室１３は、左右方向に細長い室として形成されており、本実施形態では、図７（ａ）に示すように、吸込口１００の前後方向の幅をＤ１、電動機収容室１３の前後方向の幅をＤ２としたときに、Ｄ１＞Ｄ２となるように設定されている。
【００４０】
具体的に、吸込口１００における回転清掃体１１０の中心を通る水平線上の幅Ｄ１は３４〜３８ｍｍに設定され、同じく電動機収容室１３における電動機１２０の中心を通る水平線上の幅Ｄ２は２６〜２８ｍｍに設定されている。つまり、Ｄ１／Ｄ２が略１．３〜略１．４に設定されている。
【００４１】
電動機収容室１３内には、電動機１２０を支持するための支持部１３ａ，１３ｂが下ケース１１に形成され、支持部１３ｃ，１３ｄが上ケース１２に形成されている。各支持部１３ａ〜１３ｄは、いずれも、電動機１２０の一端部に設けられるカバー部材１２５（図８参照）の四隅部分をそれぞれ支持するようになっている。
【００４２】
なお、カバー部材１２５と各支持部１３ａ〜１３ｄとの間には、隙間Ｓ１がそれぞれ形成されるようになっており、この隙間Ｓ１は、電動機１２０を冷却した後の冷却用空気の通り道として機能するようになっている。
【００４３】
一方、吸口本体１０Ａの他方の腕部１０Ａ2には、図５に示すように、後部側に基板収容室１４が設けられており、この基板収容室１４には、電動機１２０を駆動制御するための制御基板１０Ｃが配置されている。この基板収容室１４を形成する上ケース１２の後部には、スリット１２ａ（図４参照、以下同じ）が形成されており、このスリット１２ａを通じて上ケース１２の後方から冷却用の空気が導入されるようになっている。また、基板収容室１４には、吸口本体１０Ａの後端部に設けられた後端スリット１５０（図５，図１３等参照）から導入された冷却用の空気も流入するように構成されている。
【００４４】
基板収容室１４は、前側の隔壁１４ａに設けられた開口部１４ｂを通じて下ケース１１の上面と上ケース１２（図５では不図示）との間に形成される通路Ｒ２（図１２参照）に連通している。この通路Ｒ２は、腕部１０Ａ1側において、電動機収容室１３を仕切る隔壁１３ｅに設けられた開口部１３ｅ’を通じて電動機収容室１３に連通している。
【００４５】
電動機１２０は、図８、図１６（ａ）に示すように、フロントキャップ１２１と、フロントキャップ１２１に一端部が固定される断面（断面の輪郭）が略小判形状とされたステータ１２２（ハウジング）と、ステータ１２２の他端部に取り付けられるリアキャップ１２３と、ステータ１２２内に配置され、フロントキャップ１２１およびリアキャップ１２３に回転自在に支持されるアーマチュア１２４と、リアキャップ１２３の端部に被せられるカバー部材１２５と、を有している。
【００４６】
フロントキャップ１２１は、図９（ｃ）に示すように、ステータ１２２の一端部に取り付けられる側面視で略小判形状を呈しており、中央部には、アーマチュア１２４の軸部１２４ａを支持するための軸受け部１２１ａが設けられている。
【００４７】
アーマチュア１２４は、図１１（ｃ）に示すように、出力軸となる軸部１２４ａを有し、軸部１２４ａにコア１２４ｂと、コンミテータ１２４ｃが固着されている。コア１２４ｂは、鉄心片を積層して製造され、軸部１２４ａを中心にして放射状に延びる複数（例えば、本実施形態では７個）のティース１２４ｄ（図１１（ｂ）参照、以下同じ）を有する。ティース１２４ｄは、軸方向から見て略Ｔ字状に形成されており、これらティース１２４ｄ間に軸方向に長い蟻溝状のスロット（例えば、本実施形態では７個）が形成されている。ティース１２４ｄには、スロットを介して図示しないコイルが巻装されている。
【００４８】
また、図１６（ｂ）に示すように、アーマチュア１２４において、ティース１２４ｄは、軸部１２４ａにねじれて設けられている。換言すると、アーマチュア１２４において、コア１２４ｂにはスロット１２４ｇが設けられており、スロット１２４ｇは、フロントキャップ１２１側からリアキャップ１２３側に向かって（図１６のＡからＢに向かって）ねじれて設けられている（スキューが設けられている）。特に、本実施形態においては、スロット１２４ｇは、ＡからＢに向かって電動機１２０の回転方向とは逆方向にねじれて（斜めに）設けられている（スキューが設けられている）。換言すると、スロット１２４ｇは、アーマチュア１２４を軸方向から見た際にＡ方向のスロット１２４ｇの位置よりもＢ方向のスロット１２４ｇの位置が電動機１２０の回転方向とは逆方向となるように、コア１２４ｂに曲線状に設けられている。さらに換言すると、コア１２４ｂは、鉄心片におけるスロット１２４ｂの位置がＡからＢに向けて一定の角度ずつずれて積層して製造される。
【００４９】
アーマチュア１２４には、マグネット１２２ａによる磁束Ｍがかかる。従来のように、アーマチュアにおいて、コアにスロットが設けられていても、スロットが軸部の軸方向に対してまっすぐ設けられていると、コアの全てにおいて同時にトルクが発生するため、コギングトルクが大きくなり振動も大きくなってしまう。また、アーマチュアにおいて、コアにスロットが設けられていても、スロットが軸部の軸方向に対してまっすぐ設けられていると、電動機が回転しても空気の流れを発生することがなく、掃除機本体にゴミが詰まった際などで掃除機本体による冷却風が弱くなった場合には、電動機を冷却しづらくなるという課題がある。
【００５０】
ここで、本実施形態のように、スロット１２４ｇがねじれて設けられていると、Ａ方向のコア１２４ｂからＢ方向のコア１２４ｂに向かって順々にトルクが発生するため、コギングトルクの低減を図ることができ、振動を低減することができるという効果を奏する。
【００５１】
また、スロット１２４ｇがねじれて設けられていることで、電動機１２０の回転時に空気を押し出すようにすることができる。電動機１２０のみで空気が押し出されることにより電動機１２０の自己冷却を可能とするため、掃除機本体２に塵埃が溜まり冷却風が少なくなった際にも電動機１２０の自己冷却が可能である。
【００５２】
また、自冷ファンを必要としないため、電動機１２０の大型化を防ぐことができる。
【００５３】
電動機１２０に自冷ファンを追加した場合と比較すると、自冷ファン追加のためのアンバランスによる振動の増加の恐れを考慮しなくても良い点、及び自冷ファン追加のためのスペース確保の必要がない点で、有利な効果を奏する。つまり、スロット１２４ｇが軸部１２４ｄにねじれて設けられていることにより、自冷ファンを追加した場合に比べ、振動低減の効果、省スペースの効果による吸込具１０の小型化の効果を奏する。
【００５４】
また、特に、本実施形態においては、スロット１２４ｇは、ＡからＢに向かって電動機１２０の回転方向とは逆方向にねじれて（斜めに）設けられているため、掃除機本体２の吸引力による冷却風と同じ向きに空気を押し出すことができ、更なる自己冷却が可能となる。
【００５５】
なお、スロット１２４ｇは、電動機の回転により空気を押し出す方向となるように設けられれば良い。
【００５６】
ここで、図１０（ａ）に示すように、コア１２４ｂの軸方向長さをＬ、コア１２４ｂの直径をＤと定義すると、Ｌ／Ｄは略２〜略３となっている。Ｌ／Ｄが２より小さいと、回転清掃体１１０を駆動するための所望のトルクを得るために、コア１２４ｂの直径Ｄを大きくする必要があり、電動機収容室１３の前後方向の幅Ｄ２（図７（ａ）参照）が大きくなって吸込具１０の腕部１０Ａ1が大型化するため好ましくない。加えて、直径Ｄの小型化されたコア１２４ｂにおいては、１スロットル当たりの巻き数が必然的に増えることとなるが、コア１２４ｂの軸方向長さが短いと、コイルを巻回する過程で、巻き付けた端部が膨らんだ状態となり、所定の巻き数だけコイルを巻き付けることができない。また、Ｌ／Ｄが３より大きいと、電動機１２０が軸方向に長くなるため、電動機収容室１３の左右方向の長さが大きくなって吸込具１０の腕部１０Ａ1が左右方向に大型化するため好ましくない。
【００５７】
具体的に、本実施形態では、コア１２４ｂの直径Ｄが略１６ｍｍであり、コイルの巻き数は、略８０〜略１００に設定されている。このように構成することで、コア１２４ｂの直径Ｄの小型化を図りつつ、所望の磁力を得るためのコイル巻き数を確保することが可能となった。また、コイルの断面の直径は、略０．０９ｍｍである。ここで、コイルの断面の直径が０．０９ｍｍより小さくなると、電流密度が上がってコイルの熱の発生が多くなるため好ましくない。
【００５８】
なお、前記したスロットの数は、７個に限られることはなく他の個数、例えば８個に設定してもよい。
【００５９】
コンミテータ１２４ｃは、図１１（ａ）に示すように、スリット１２４ｅで絶縁された複数のセグメント１２４ｆを有しており、各セグメント１２４ｆには、コイルを形成する巻線に一端が電気的に固定されている。
【００６０】
ステータ１２２には、図１１（ｂ）（ｃ）に示すように、その内周側に、界磁用の瓦状に形成された２つのマグネット１２２ａが周方向に間隔を隔てて固着されている。すなわち、本実施形態の電動機１２０は、スロットの個数が７個、マグネット１２２ａが２つ設けられた２極７スロットのモータということになる。
【００６１】
ステータ１２２には、フロントキャップ１２１側の外周面に、冷却用の空気をステータ１２２内に導入するための開口１２２ｂが形成されている。
【００６２】
また、ステータ１２２のリアキャップ１２３側には、冷却用の空気をステータ１２２内から排出するための開口１２２ｃが形成されている。
【００６３】
このようなステータ１２２のマグネット１２２ａとコア１２４ｂとの間には、図１１（ｂ）に示すように、電動機１２０（ステータ１２２）の内部へ流入する、後記する冷却用の空気が流れる隙間Ｓ３が形成されている。
【００６４】
リアキャップ１２３は、図８、図９（ａ）に示すように、ステータ１２２の端部に装着される有底円筒状を呈しており、図１１（ｃ）に示すように、底部１２３ｄの中央部分に、アーマチュア１２４の軸部１２４ａの端部が挿入されて支持される軸受け部１２３ａが設けられている。
【００６５】
また、リアキャップ１２３の端部には、図８、図９（ｂ）に示すように、電動機用基板１２３ｂが装着されている。この電動機用基板１２３ｂは、カバー部材１２５で周縁部が覆われるようになっている。なお、カバー部材１２５は、リアキャップ１２３の段差面１２３ｃに装着されるようになっている。
【００６６】
リアキャップ１２３の底部１２３ｄの内側には、図１０（ｂ）に示すように、ブラシ部１２７が設けられている。ブラシ部１２７は、略環状とされたブラシホルダ１２７ａと、このブラシホルダ１２７ａに摺動自在に収容された導電性のブラシ１２７ｂと、を有している。ブラシ１２７ｂは、アーマチュア１２４のコンミテータ１２４ｃのセグメント１２４ｆに摺接するようになっており、底部１２３ｄに突設された支軸１２６ａに保持されたばね部材１２６ｂによってコンミテータ１２４ｃに向けて付勢されている。なお、ばね部材１２６ｂの先端部１２６ｃ（図１１（ａ）参照）は、ブラシ１２７ｂに向けて折曲されている。
【００６７】
本実施形態では、図１１（ａ）に示すように、コンミテータ１２４ｃを挟んで２つのブラシ部１２７を有しており、電動機１２０の軸方向から見ると、２つのブラシ１２７ｂは、ステータ１２２の略小判形状の対角線上に配置されている。断面が略四角形状の電動機収容室１３に対しても対角線上に配置されることとなる。そして、各ブラシ１２７ｂの外周側端面１２７ｃは、ステータ１２２の略小判形状よりも外周側に位置しており、かつ、ステータ１２２の略小判形状が内接する四角形（図中二点鎖線で図示した四角形）よりも内周側に位置している。
【００６８】
図８を再び参照して説明を続けると、カバー部材１２５は、前記したようにリアキャップ１２３の段差面１２３ｃに装着されるカバーであり、合成ゴム等の弾力性を有する絶縁部材で形成されている。カバー部材１２５は、軸方向から見たときに、ブラシ部１２７（図８では一方のみ図示）に対応する部分が径方向に突出しており、これによって、上面１２５ｃが、これに隣接する側面１２５ａに対して垂直な面となっている。同様に、下面１２５ｄが、これに隣接する側面１２５ｂに対して垂直な面となっている。つまり、カバー部材１２５は、相互に垂直関係にある上面１２５ｃ、側面１２５ａ、下面１２５ｄ、側面１２５ｂを有している。
【００６９】
また、カバー部材１２５の底面には開口部１２５ｅが形成されており、この開口部１２５ｅを通じて電動機用基板１２３ｂからリードが引き出されるようになっている。
【００７０】
なお、リアキャップ１２３にカバー部材１２５を装着した状態で、側面１２５ａは、ステータ１２２の側面１２０ａ（図９（ｂ）参照）と面一になり、また、側面１２５ｂは、ステータ１２２の側面１２０ｂ（図９（ｂ）参照）と面一になるように設定されている。
【００７１】
本実施形態では、図７（ａ）に示すように、下ケース１１に設けられた２つの支持部１３ａ，１３ｂと、上ケース１２に設けられた２つの支持部１３ｃ，１３ｄで、カバー部材１２５の外周面の対応する部位が支持されるようになっている。つまり、電動機１２０は、カバー部材１２５の弾力性を利用して下ケース１１および上ケース１２により形成される電動機収容室１３に収容されている。したがって、電動機１２０の振動が下ケース１１および上ケース１２に伝わり難い構造となっている。なお、フロントキャップ１２１には、図５に示すように、合成ゴム等の弾力性を有するブッシュ１２８が装着され、このブッシュ１２８を介して、下ケース１１に設けられた支持部１１ｆにフロントキャップ１２１側が支持されるようになっている（図５参照）。したがって、電動機１２０は、フロントキャップ１２１側においても防振構造が採られている。
【００７２】
次に、電動機１２０の冷却について説明する。電動機１２０を細長くしていくと、損失が大きくなり、その分、発生する熱も増加する。そこで、電動機１２０を冷却する必要がある。
【００７３】
本実施形態では、掃除機本体２に備わる図示しない電動送風機の吸引力により、吸込具１０の吸込口１００とは別に設けた導入口より空気を導入して、これを冷却用の空気として用いている。
【００７４】
図１２に示すように、前記した導入口として、吸口本体１０Ａの下ケース１１の後部側には、後端スリット１５０が設けられている。この後端スリット１５０は、図１３に示すように、下ケース１１に設けられた車輪１１ｄの前方において、上方斜め後方に開口が向く状態に設けられている。
【００７５】
ここで、後端スリット１５０は、図１４に示すように、これに連続する上板１５１と、図示しない下板との間に形成される通路Ｒ２に連通しており、また、この通路Ｒ２は、基板収容室１４に連通している。したがって、後端スリット１５０を通じて導入された冷却用の空気は、通路Ｒ２を通じて基板収容室１４に流入し、制御基板１０Ｃを冷却する。また、上ケース１２のスリット１２ａを通じて、腕部１０Ａ2の後方の空気が基板収容室１４に導入され、この空気によっても制御基板１０Ｃが冷却される。
【００７６】
基板収容室１４に流入した冷却空気は、その後、隔壁１４ａの開口部１４ｂを通じて通路Ｒ３に流入し、通路Ｒ３から隔壁１３ｅの開口部１３ｅ’を通じて電動機収容室１３に流入する。
【００７７】
その後、電動機収容室１３に流入した冷却用の空気は、電動機収容室１３の電動機１２０の開口１２２ｂを通じてステータ１２２内に流入し、コア１２４ｂとマグネット１２２ａとの間を通過してコア１２４ｂを冷却する。
【００７８】
その後、ステータ１２２内を冷却した空気は、開口１２２ｃや側面に形成される開口１２２ｄ（図９（ａ）参照）から電動機１２０の外部に排出され、通路Ｒ４に流入する。そして、通路Ｒ４から吸口継手１０Ｂの回動軸７の端部開口７ａを介して吸口継手１０Ｂ内に流入し、通路Ｒ１に流れ込む。よって、冷却用の空気は、電動機１２０内を、電動機１２０から飛び出した軸部１２４ａ側からカバー部材１２５側へ向かって流れる。つまり、冷却用の空気は、電動機１２０内を、吸口本体１０Ａの外側から中央側へ向かって流れる。
【００７９】
したがって、電動機１２０内を通過して電動機１２０を冷却した空気は、ブラシ１２７ｂから生じる可能性のある塵埃等とともに通路Ｒ１に流れ込む。
【００８０】
なお、図１５に示すように、上ケース１２における電動機収容室１３に対応する位置にスリット１２ｃを設け、このスリット１２ｃを通じて電動機収容室１３に直接、冷却用の空気を導入してもよい。この場合には、電動機収容室１３に導入された空気を、開口１２２ｂから電動機１２０内を通じて開口１２２ｃから排出させ、これを隔壁１３ｅの開口部１３ｅ’を通じて下ケース１１の前側に導くように構成する。そして、下ケース１１の上面に形成したスリット１１ｇを通じ、空気を吸込口１００内に導き、これを、吸込口１００から通路Ｒ１に吸引する。
【００８１】
このように構成することによっても、電動機１２０を好適に冷却することができる。なお、スリット１２ｃ等に図示しないフィルターを配置して塵埃が電動機収容室１３内に流入するのを抑制するように構成してもよい。
【００８２】
以下では、本実施形態において得られる効果を説明する。
（１）電動機１２０は、軸部１２４ａと、軸部１２４ａの周りに取り付けられるコア１２４ｂと、を備え、コア１２４ｂには、スロット１２４ｇがねじれて設けられているので、振動を抑えることができ、更に、吸込具１０の電動機１２０が回転する際に空気を押し出すため、掃除機本体２に塵埃が詰まった際にも自己冷却が可能となる。また、自冷ファンを必要としない分、大型化せずに電動機１２０の自己冷却が可能となる。
（６）電動機１２０内を通過して電動機１２０を冷却した空気は、ブラシ１２７ｂから生じる可能性のある塵埃等とともに通路Ｒ１に流れ込む構成としてあるので、電動機１２０を冷却しつつ、ブラシ１２７ｂから生じる可能性のある塵埃等を好適に掃除機本体２側に吸引することができる。したがって、電動機１２０の長寿命化を図ることが可能である。
また、電動機１２０の良好な回転が維持されることとなるので、騒音防止に効果的である。
（１１）電気掃除機１が稼動し掃除機本体２が吸引力を発生した場合に、コア１２４ｂとステータ１２２（マグネット１２２ａ）との間に形成される空間に、吸込具１０の外部から電動機１２０の内部へ流入する空気が流れるので、電動機１２０を好適に冷却することができ、電動機１２０の長寿命化を図ることが可能である。
（１２）コア１２４ｂとステータ１２２（マグネット１２２ａ）との間には、空間が形成され、ステータ１２２の軸方向一端側の側面および軸方向他端側の側面には、開口１２２ｂ，１２２ｃが形成されているので、電動機１２０を好適に冷却することができ、電動機１２０の長寿命化を図ることが可能である。
【符号の説明】
【００８３】
１      電気掃除機
２      掃除機本体
２ａ    接続口
３      ホース
４      手元操作部
５      延長管
５ａ、５ｂ  管
６      第２の吸込具
７      回動軸
７ａ    端部開口
７ｂ    回動部
８      バンパー
１０    第１の吸込具
１０Ａ  吸口本体
１０Ａ1、１０Ａ2  腕部
１０Ｂ  吸口継手
１０Ｃ  制御基板
１１    下ケース
１１ａ  ブラシ駆動スイッチ
１１ｂ、１１ｃ  ブラシカバー
１１ｄ  車輪
１１ｆ  支持部
１１ｇ  スリット
１２    上ケース
１２ａ、１２ｃ  スリット
１３    電動機収容室
１３ａ、１３ｂ、１３ｃ、１３ｄ  支持部
１３ｅ  隔壁
１３ｅ´  開口部
１３ｆ  仕切り部
１４    基板収容室
１００  吸込口
１０１  吸込通路
１１０  回転清掃体
１１１  筒状基体
１１２ａ、１１２ｂ、１１２ｃ  清掃部材
１１２ｄ  ブレード
１１２ａ´、１１２ｂ´  外周側端部
１１３  ローラ部材
１２０  電動機
１２０ａ、１２０ｂ  側面
１２１  フロントキャップ
１２１ａ  軸受け部
１２２  ステータ（ハウジング）
１２２ａ  マグネット
１２２ｂ、１２２ｃ  開口
１２３  リアキャップ
１２３ａ  軸受け部
１２３ｂ  電動機用基板
１２３ｃ  段差面
１２３ｄ  底部
１２４  アーマチュア
１２４ａ  軸部
１２４ｂ  コア
１２４ｃ  コンミテータ
１２４ｄ  ティース
１２４ｅ  スリット
１２４ｆ  セグメント
１２４ｇ  スロット
１２５  カバー部材
１２５ａ、１２５ｂ  側面
１２５ｃ  上面
１２５ｄ  下面
１２５ｅ  開口部
１２６ａ  支軸
１２６ｂ  ばね部材
１２６ｃ  先端部
１２７  ブラシ部
１２７ａ  ブラシホルダ
１２７ｂ  ブラシ
１２７ｂ´  ブラシ
１２７ｃ  外周側端面
１２８  ブッシュ
１３０  大径プーリー
１３１  小径プーリー
１５０  後端スリット__
【図１】
2015012938.tif 000003
【図２】
2015012938.tif 000004
【図３】
2015012938.tif 000005
【図４】
2015012938.tif 000006
【図５】
2015012938.tif 000007
【図６】
2015012938.tif 000008
【図７】
2015012938.tif 000009
【図８】
2015012938.tif 000010
【図９】
2015012938.tif 000011
【図１０】
2015012938.tif 000012
【図１１】
2015012938.tif 000013
【図１２】
2015012938.tif 000014
【図１３】
2015012938.tif 000015
【図１４】
2015012938.tif 000016
【図１５】
2015012938.tif 000017
【図１６】
2015012938.tif 000018